(57)【要約】【課題】キーボード装置の色に明度の違いがある場合でも発光体の点灯と消灯とを識別しやすくする。【解決手段】電子機器１０は、キートップと、該キートップの下側においてベースプレート上に重ねられて配設され、キートップの押圧操作により接点の離接を行うメンブレンシート５８と、キートップを含む上面体の所定箇所に設けられたインジケータ５０と、インジケータ５０に電力を供給する発光体電力線２８ｃと、発光体電力線２８ｃの途中に設けられた輝度調整抵抗３４とを備える。輝度調整抵抗３４は、メンブレンシート５８におけるプリントパターンによって形成されている。輝度調整抵抗３４は、キーボード装置２２の上面体の明度により高抵抗値の輝度調整抵抗３４ａと、中間抵抗値の輝度調整抵抗３４ｂと、低抵抗値の輝度調整抵抗３４ｃとに区別される。【選択図】図４
2020144435.tif 000002
【特許請求の範囲】
【請求項１】
キートップと、
該キートップの下側においてベースプレート上に重ねられて配設され、キートップの押圧操作により接点の離接を行うメンブレンシートと、
前記キートップを含む上面体の所定箇所に設けられた発光体と、
前記発光体に電力を供給する発光体電力線と、
前記発光体電力線の途中に設けられた抵抗部と、
を備え、
前記抵抗部は、前記メンブレンシートにおけるプリントパターンによって形成されていることを特徴とするキーボード装置。
【請求項２】
請求項１に記載のキーボード装置において、
前記抵抗部は、蛇行するプリントパターンによって形成されていることを特徴とするキーボード装置。
【請求項３】
請求項１または２に記載のキーボード装置を製造する製造方法であって、
前記発光体の周囲が異なる明度の複数種類の前記上面体のうちの１つに対して、前記抵抗部の抵抗値が異なる複数種類の前記メンブレンシートのうちいずれか１つを装着する装着工程を有し、
前記上面体に対して、前記装着工程では前記発光体の周囲の明度が高いほど前記抵抗部の抵抗値が小さい前記メンブレンシートを装着することを特徴とする製造方法。
【請求項４】
請求項１または２に記載のキーボード装置と、
前記キーボード装置に接続される制御基板と、
を備え、
前記制御基板は、前記発光体電力線を離接するスイッチ部を有し、
前記発光体電力線と前記スイッチ部とは前記制御基板内で直接に導通していることを特徴とする電子機器。
【発明の詳細な説明】
【技術分野】
【０００１】
本発明は、上面体に発光体を備えるキーボード装置とその製造方法、および電子機器に関する。
【背景技術】
【０００２】
パーソナルコンピュータやサーバなどの電子機器は入力装置としてキーボード装置を備えている。キーボード装置の構成は、例えば複数のキートップと、該キートップの下側に設けられたベースプレートと、該ベースプレート上に重ねられて配設されてキートップの押圧操作により接点の離接を行うメンブレンシートとを備えている。キーはキートップと、該キートップに対応したメンブレンシートの接点部とによって構成されている。
【０００３】
キーボード装置では、限られた数のキーでより多くの文字を入力することができるように、１つのキーで複数の文字入力が可能となっているものがある。例えば、アルファベットに対応したキーは、標準時には小文字入力に対応しているがシフトキーの操作に基づいて大文字入力に切り替えることができる。そして、シフトキーを押下していないときに大文字入力とすることができるようにＣａｐｓＬｏｃｋ機能が設けられている。ＣａｐｓＬｏｃｋ機能が作用しているときには、それを示すインジケータをキーボード装置上のいずれかの場所で点灯させることが一般的である（例えば、特許文献１参照）。ＮｕｍＬｏｃｋ機能（テンキーの用途の切り替え機能）およびＳｃｒｏｌｌＬｏｃｋ機能（表計算ソフトなどでのスクロール方法の切り替え機能）についても同様である。
【０００４】
これらのインジケータは、対応するキートップ（例えばＣａｐｓＬｏｃｋキー）やキーボード装置の上面板のいずれかの箇所に設けられる。これらのインジケータは、例えばキーボード装置が接続されるマザーボード上のキーボードコントローラによって点灯と消灯との切り替えが行われる。インジケータは例えばＬＥＤ（Ｌｉｇｈｔ  Ｅｍｉｔｔｉｎｇ  Ｄｉｏｄｅ）であって、適正電流が流れるようにマザーボード上には調整抵抗が設けられている。
【先行技術文献】
【特許文献】
【０００５】
【特許文献１】特開平５−３０３４６０号公報
【発明の概要】
【発明が解決しようとする課題】
【０００６】
キーボード装置はユーザの好みに応じて多くの色が用意されており、例えば黒色系や、クリーム色を含む白色系や、その中間のグレー系などがある。黒色系と白色系とでは明度が大きく異なる。
【０００７】
ところが、上記のインジケータはキーボード装置の色に明度の違いがあってもインジケータで同じ輝度で点灯させている。一般的にキーボード装置の色の違いに拘わらずマザーボードは共通化されており、インジケータの輝度調整のための調整抵抗が同一抵抗値であるためである。
【０００８】
白色系のキーボード装置では周囲の色も明るいことから点灯時のコントラストが小さくインジケータが点灯しているのか消灯しているのかがユーザにとって識別しにくい。仮に白色系のキーボード装置でも点灯が明確に認識できるような高輝度でインジケータを点灯させると、今度は黒色系のキーボード装置では過度に明るく感じられて違和感が生じる。
【０００９】
本発明は、上記の課題に鑑みてなされたものであって、キーボード装置が接続される制御基板の共通化を維持しながらキーボード装置の種類によって発光体の輝度を調整することができ、特にキーボード装置の色に明度の違いがある場合でもユーザが点灯と消灯とを識別しやすいキーボード装置とその製造方法および電子機器を提供することを目的とする。
【課題を解決するための手段】
【００１０】
上述した課題を解決し、目的を達成するために、本発明の態様に係るキーボード装置は、キートップと、該キートップの下側においてベースプレート上に重ねられて配設され、キートップの押圧操作により接点の離接を行うメンブレンシートと、前記キートップを含む上面体の所定箇所に設けられた発光体と、前記発光体に電力を供給する発光体電力線と、前記発光体電力線の途中に設けられた抵抗部と、を備え、前記抵抗部は、前記メンブレンシートにおけるプリントパターンによって形成されている。これにより、発光体に供給する電力がメンブレンシートの抵抗部で調整され、キーボード装置に接続される制御基板などの他の装置については共通化を図ることができる。
【００１１】
前記抵抗部は、蛇行するプリントパターンによって形成されていてもよい。蛇行するプリントパターンによれば抵抗部を小さい領域に形成することができる。
【００１２】
本発明の態様に係るキーボード装置の製造方法は、前記発光体の周囲が異なる明度の複数種類の前記上面体のうちの１つに対して、前記抵抗部の抵抗値が異なる複数種類の前記メンブレンシートのうちいずれか１つを装着する装着工程を有し、前記上面体に対して、前記装着工程では前記発光体の周囲の明度が高いほど前記抵抗部の抵抗値が小さい前記メンブレンシートを装着する。このように、装着工程では発光体の周囲の明度が高いほど抵抗部の抵抗値が小さいメンブレンシートを装着することにより、上面体の明度が高いほど発光体の点灯時の輝度が高く、周囲に対するコントラストが適度に大きくなり、ユーザが発光体の点灯と消灯とを識別しやすくなる。
【００１３】
また、本発明の態様に係る電子機器は、上記のキーボード装置と、前記キーボード装置に接続される制御基板と、を備え、前記制御基板は、前記発光体電力線を離脱するスイッチ部を有し、前記発光体電力線と前記スイッチ部とは前記制御基板内で直接に導通している。発光体の電力の調整はキーボード装置の抵抗部で行われるため、制御基板では発光体電力線と電力部またはグランド部とを直接に接続すればよく、別途の抵抗体が不要となる。
【発明の効果】
【００１４】
本発明の上記態様によれば、発光体に供給する電力がメンブレンシートの抵抗部で調整され、キーボード装置に接続される制御基板などの他の装置については共通化を図ることができる。また、上面体にメンブレンシートを装着する装着工程では発光体の周囲の明度が高いほど抵抗部の抵抗値が小さいメンブレンシートを装着することにより、上面体の明度が高いほど発光体の点灯時の輝度が高く、周囲に対するコントラストが適度に大きくなり、キーボード装置の色に明度の違いがある場合でもユーザが点灯と消灯とを識別しやすい。
【図面の簡単な説明】
【００１５】
【図１】図１は、本発明の一実施形態に係る電子機器の斜視図である。
【図２】図２は、複数のキーボード装置から選ばれた１つを電子機器に装着する様子を示した図である。
【図３】図３は、キーボード装置の構成を模式的に示した側面断面図である。
【図４】図４は、キーボード装置のうちの１つを電子機器に装着した状態のブロック図である。
【図５】図５は、メンブレンシートにおける輝度調整抵抗およびその周辺の平面図である。
【図６】図６は、キーボード装置の製造方法のフローチャートである。
【発明を実施するための形態】
【００１６】
以下に、本発明にかかるキーボード装置とその製造方法、および電子機器の実施形態を図面に基づいて詳細に説明する。なお、この実施形態によりこの発明が限定されるものではない。
【００１７】
図１は、本発明の一実施形態に係る電子機器１０の斜視図である。この電子機器１０はノート型ＰＣである。図１は、ヒンジ装置１２によってディスプレイ筐体１４を本体筐体１６から開いて電子機器１０をノート型ＰＣの使用形態とした状態を示している。
【００１８】
図１に示すように、電子機器１０は、ディスプレイ筐体１４の後端部と本体筐体１６の後端部とを左右一対のヒンジ装置１２，１２によって回動可能に連結したものである。
【００１９】
ディスプレイ筐体１４は、本体筐体１６よりも薄い平板形状に構成され、その内面１４ａにディスプレイ装置１８が設けられている。ディスプレイ筐体１４は、ヒンジ装置１２を通過したケーブルにより本体筐体１６と電気的に接続されている。ディスプレイ装置１８は、例えばタッチパネル式の液晶表示装置によって構成される。
【００２０】
本体筐体１６は、平板形状に構成された箱体であり、その内面１６ａにキーボード装置２２やタッチパッド２４が設けられている。本体筐体１６は、その内部に制御基板２６（図４参照）、演算装置及びメモリ等の各種電子部品が収納されている。
【００２１】
なお、キーボード装置２２には３種類のキーボード装置２２ａ，２２ｂ，２２ｃがあるが、代表的にはキーボード装置２２と呼ぶ。図４に示すように、キーボード装置２２ａは輝度調整抵抗３４ａを備えるメンブレンシート５８ａを有する。キーボード装置２２ｂは輝度調整抵抗３４ｂを備えるメンブレンシート５８ｂを有する。キーボード装置２２ｃは輝度調整抵抗３４ｃを備えるメンブレンシート５８ｃを有する。輝度調整抵抗３４ａ〜３４ｃは、代表的に輝度調整抵抗３４とも呼ぶ。メンブレンシート５８ａ〜５８ｃは代表的にはメンレブンレシート５８とも呼ぶ。
【００２２】
図１に戻り、キーボード装置２２には、ＣａｐｓＬｏｃｋ機能が有効状態であることを示すインジケータ（発光体）５０と、ＮｕｍＬｏｃｋ機能が有効状態であることを示すインジケータ（発光体）５２と、ＳｃｒｏｌｌＬｏｃｋ機能が有効状態であることを示すインジケータ（発光体）５４とが設けられている。インジケータ５０はＣａｐｓＬｏｃｋキー５６のキートップに設けられている。インジケータ５０は上面板２３に設けられていてもよい。インジケータ５２，５４はキーボード装置２２の上面板２３の右上部に設けられている。インジケータ５２はＮｕｍＬｏｃＫキーのキートップに設けられていてもよい。インジケータ５４はＳｃｒｏｌｌＬｏｃｋキーのキートップに設けられていてもよい。インジケータ５０，５２，５４にはレンズが設けられていてもよい。
【００２３】
インジケータ５０，５２，５４は、例えばＬＥＤであり、後述するようにその周囲の色の明度に応じた輝度で点灯する。以下、説明の便宜上代表的にインジケータ５０にかかる回路について説明するが、インジケータ５２およびインジケータ５４についても同様の回路が適用可能である。
【００２４】
図２は、複数のキーボード装置２２ａ，２２ｂ，２２ｃから選ばれた１つを電子機器１０に装着する様子を示した図である。図２に示すように、電子機器１０の本体筐体１６には、例えば色の異なる３種類のキーボード装置２２ａ〜２２ｃのうち選ばれた１つが装着可能となっている。キーボード装置２２は上面に複数のキーを備え、ユーザによる該キーの操作を制御基板２６に伝達するものである。
【００２５】
キーボード装置２２ａ〜２２ｃはそれぞれ明度が異なる色である。キーボード装置２２ａにおける各キーのキートップおよび上面板２３は黒色系である。キーボード装置２２ｂにおける各キーのキートップおよび上面板２３はグレー系である。キーボード装置２２ｃにおける各キーのキートップおよび上面板２３は白色系である。図２では、キーボード装置２２ａ〜２２ｃにおける明度の違いを白地、薄いドット地、濃いドット地で示している。キーボード装置２２ａ〜２２ｃは交換が可能である。なお、図２ではキーボード装置２２が本体筐体１６の上方から着脱するように示しているが、裏蓋を外した本体筐体１６の下方から着脱するようにしてもよい。
【００２６】
図３は、キーボード装置２２の構成を模式的に示した側面断面図である。図３に示すように、キーボード装置２２はベースプレート５７がベースとなっており、その上面に積層されたメンブレンシート５８と、複数のキートップ２５と、各キートップ２５を支持するリンク部材６１とを備える。
【００２７】
ベースプレート５７は、薄いステンレスやアルミニウム板等の金属板に切り起こし成形や打ち抜き成形を施したものであり、キートップ２５の取付板となるものである。全てのキートップ２５は、１枚のベースプレート５７を共用している。メンブレンシート５８は、キートップ２５の下側においてベースプレート５７上に重ねられて配設され、キートップ２５の押圧操作により接点の離接を行う。メンブレンシート５８は、例えば押圧された場合に接点が閉じる三層構造のスイッチシートである。メンブレンシート５８は、固定接点及び可動接点が重なる位置が押圧された場合に、固定接点と可動接点とが密着することで接点を閉じるものである。メンブレンシート５８は、三層構造であるが、三層構造以外にも例えばゴム製の導電部が回路を短絡させる接触スイッチを用いた構造等でもよい。メンブレンシート５８は各所に貫通孔を有し、この貫通孔を通してリンク部材６１の一部がベースプレート５７の上面に着地する。メンブレンシート５８は、ベースプレート５７の下面側に積層されてもよい。
【００２８】
図４は、キーボード装置２２ａ〜２２ｃのうちの１つを電子機器１０に装着した状態のブロック図である。キーボード装置２２は本体２７と、該本体２７につながったケーブル２８とを備えている。ケーブル２８の先端にはコネクタ３０が設けられている。コネクタ３０は、制御基板２６のコネクタ４９に接続される。本体２７はコントロールチップ３２と、輝度調整抵抗３４とを備えている。コントロールチップ３２に相当するものはキーボード装置２２以外の本体筺体１６（例えば制御基板２６）に設けられていてもよい。また、上記の通り本体２７はインジケータ５０と、メンブレンシート５８とを備えている。ケーブル２８は電源線２８ａ、グランド線２８ｂ、発光体電力線２８ｃ、キーデータ線２８ｄおよびタイミング信号線２８ｅを含む。
【００２９】
電源線２８ａは制御基板２６の電源部４４につながる。グランド線２８ｂは制御基板２６のグランド部４２につながる。コントロールチップ３２は電源線２８ａおよびグランド線２８ｂから供給される電力によって動作する。キーデータ線２８ｄは押されたキーにかかる信号をシリアル通信によって制御基板２６に伝達する線である。このシリアル通信の信号は、例えば１１ｂｉｔである。タイミング信号線２８ｅはキーデータ線２８ｄのシリアル通信のためのタイミングをとる線である。エンベデッドコントローラ３６はキーデータ線２８ｄによる双方向通信が可能である。
【００３０】
コントロールチップ３２は所定のスキャンを行い、ユーザによって押圧されたキーを検出し、キーデータ線２８ｄによるタイミングにしたがって該キーのデータをキーデータ線２８ｄに送信する。
【００３１】
インジケータ５０のアノードは電源線２８ａにつながっている。輝度調整抵抗３４は一端がインジケータ５０のカソードにつながっており、他端が発光体電力線２８ｃにつながっている。
【００３２】
制御基板２６はエンベデッドコントローラ（キーボードコントローラ）３６と、主制御部３８と、グランド部４２と、電源部４４と、スイッチ部６０とを備える。スイッチ部６０はエンベデッドコントローラ３６に内蔵されていてもよい。制御基板２６はいわゆるマザーボードであり、電子機器１０の統括的な制御を行う。エンベデッドコントローラ３６、主制御部３８およびスイッチ部６０は制御基板２６に対して、例えば表面実装されている。主制御部３８はＣＰＵ（Ｃｅｎｔｒａｌ  Ｐｒｏｃｅｓｓｉｎｇ  Ｕｎｉｔ）であるが、ここではＣＰＵの作用下に実行されるソフトウェア（例えばＯＳ）を含むものとする。
【００３３】
グランド部４２はグランド線２８ｂにつながっており、その電位は０Ｖである。電源部４４は電源線２８ａにつながっており、その電位は例えば３．３Ｖである。エンベデッドコントローラ３６および主制御部３８は電源部４４およびグランド部４２から供給される電力によって動作する。
【００３４】
エンベデッドコントローラ３６はキーボード装置２２の制御を行う機能と電子機器１０の電源管理の機能とを有している。エンベデッドコントローラ３６は、ファームウェアとしてのキーボードドライバ４８によって動作する。キーボードドライバ４８は書き替え可能となっている。
【００３５】
エンベデッドコントローラ３６は、コネクタ４９およびコネクタ３０を介して発光体電力線２８ｃ、キーデータ線２８ｄおよびタイミング信号線２８ｅと接続されている。
【００３６】
スイッチ部６０はトランジスタ６２と、ベース抵抗６４とを備えるスイッチ回路である。トランジスタ６２は、例えばＮＰＮ型であるがＦＥＴ（Ｆｉｅｌｄ  Ｅｆｆｅｃｔ  Ｔｒａｎｓｉｓｔｏｒ）や機械的接点スイッチなどで置き換えてもよい。トランジスタ６２のコレクタはコネクタ４９，３０を介して発光体電力線２８ｃとつながっている。トランジスタ６２のコレクタは制御基板２６上でコネクタ４９まで直接的に導通しており、この間に抵抗は設けられていない。エンベデッドコントローラ３６のキーボードドライバ４８は、出力端子６６からベース抵抗６４を介してトランジスタ６２を駆動することによりインジケータ５０を点灯・消灯させることができる。
【００３７】
上記の通り、キーボード装置２２ａは輝度調整抵抗３４ａを備えるメンブレンシート５８ａを有し、キーボード装置２２ｂは輝度調整抵抗３４ｂを備えるメンブレンシート５８ｂを有し、キーボード装置２２ｃは輝度調整抵抗３４ｃを備えるメンブレンシート５８ｃを有する。メンブレンシート５８ａ〜５８ｃは、輝度調整抵抗３４ａ〜３４ｃ以外の要素については共通構成である。
【００３８】
輝度調整抵抗３４ａの抵抗値は大きく、輝度調整抵抗３４ｃの抵抗値は小さく、輝度調整抵抗３４ｂの抵抗値はその中間程度である。これにより、黒色系のキーボード装置２２ａではインジケータ５０の輝度が低く、白色系のキーボード装置２２ｃではインジケータ５０の輝度が高く、グレー系のキーボード装置２２ｃではインジケータ５０の輝度がその中間程度となる。
【００３９】
すなわち、周囲（例えばＣａｐｓＬｏｃｋキー５６）の色の明度が高い場合（例えば白色系の場合）にはインジケータ５０もそれに応じた高い輝度で点灯して、適度なコントラストが得られるため、ユーザは該インジケータ５０が点灯しているのか消灯しているのかが識別しやすい。また、周囲の色の明度が低い場合（例えば黒色系の場合）にはインジケータ５０もそれに応じた低い輝度で点灯するため、ユーザは過度に明るく感じることがなく違和感がない。
【００４０】
図５は、メンブレンシート５８における輝度調整抵抗３４およびその周辺の平面図である。図５に示すように、輝度調整抵抗３４はメンブレンシート５８上に設けられたプリントパターンであって、多段の平行線を含む蛇行パターンとなっている。蛇行するプリントパターンによれば輝度調整抵抗３４を小さい領域に形成することができる。輝度調整抵抗３４はプリントパターンの長さおよび幅の少なくとも一方はキーボード装置２２の種類によって異なるように設定すればよい。このようにプリントパターンの長さや幅によって輝度調整抵抗３４を形成すると、部品点数を増加させることがない。
【００４１】
図５に示す輝度調整抵抗３４は、キーボード装置２２ａにおける抵抗値の大きい輝度調整抵抗３４ａであるが、抵抗値の異なる輝度調整抵抗３４ｂ，３４ｃは、仮想線で示すジャンパー線６８，７０の有無により形成してもよい。輝度調整抵抗３４は、単体ではなく直列または並列の複数の抵抗によって形成してもよい。
【００４２】
図１に示すように、輝度調整抵抗３４はＣａｐｓＬｏｃｋ機能の状態を示すインジケータ５０の輝度調整用であり、キーボード装置２２におけるキートップが存在しないスペースに設けることによりデッドスペースを有効利用することができる。ＮｕｍＬｏｃｋ機能の状態を示すインジケータ５２の輝度調整用である輝度調整抵抗７２、およびＳｃｒｏｌｌＬｏｃｋ機能の状態を示すインジケータ５４の輝度調整用である輝度調整抵抗７４についても同様にキーボード装置２２におけるキートップが存在しないスペースに設けもよい。
【００４３】
次に、キーボード装置２２の製造方法について説明する。図６は、キーボード装置２２の製造方法のフローチャートである。
【００４４】
図６のステップＳ１において黒色系のキーボード装置２２ａの上面体を製造する。ステップＳ２において高抵抗値の輝度調整抵抗３４ａを備えるメンブレンシート５８ａを製造する。ステップＳ３（装着工程）においてキーボード装置２２ａの上面体に対してメンブレンシート５８ａを装着する。
【００４５】
ステップＳ４においてグレー系のキーボード装置２２ｂの上面体を製造する。ステップＳ５において中間抵抗値の輝度調整抵抗３４ｂを備えるメンブレンシート５８ｂを製造する。ステップＳ６（装着工程）においてキーボード装置２２ｂの上面体に対してメンブレンシート５８ｂを装着する。
【００４６】
ステップＳ７において白色系のキーボード装置２２ｃの上面体を製造する。ステップＳ８において低抵抗値の輝度調整抵抗３４ｃを備えるメンブレンシート５８ｃを製造する。ステップＳ９（装着工程）においてキーボード装置２２ｃの上面体に対してメンブレンシート５８ｃを装着する。
【００４７】
ステップＳ１０において、上記のステップＳ３，Ｓ６，Ｓ９で得られた中間製品に対してそれぞれ共通部品（例えばケーブル２８）を取り付けてキーボード装置２２が完成する。このステップＳ１０は共通的に行う必要はなく、ステップＳ３，Ｓ６，Ｓ９の後に個別に行ってもよい。
【００４８】
上述したように、本実施の形態にかかるキーボード装置２２とその製造方法および電子機器１０によれば、インジケータ５０に供給する電力を調整する輝度調整抵抗３４は、メンブレンシート５８におけるプリントパターンによって形成されており、キーボード装置２２に接続される制御基板２６などの他の装置については共通化を図ることができる。
【００４９】
また、上面体（キートップ２５および上面板２３）に対して、ステップＳ３，Ｓ６，Ｓ９ではインジケータ５０の周囲の明度が高いほど輝度調整抵抗３４の抵抗値が小さいメンブレンシート５８を装着する。これにより、上面体の明度が高いほどインジケータ５０の点灯時の輝度が高く、周囲に対するコントラストが適度に大きくなり、ユーザが発光体の点灯と消灯とを識別しやすくなる。
【００５０】
さらに、インジケータ５０の電力の調整はキーボード装置２２の輝度調整抵抗３４で行われ、発光体電力線２８ｃはコネクタ４９とスイッチ部６０との間で直接に導通しており、制御基板２６では輝度調整用の別途の抵抗体が不要となり、スペース上の余裕ができ、または制御基板２６の小型化を図ることができる。ただし、条件によってはコネクタ４９とスイッチ部６０との間に抵抗を挿入してもよい。上記の電子機器１０はノート型ＰＣを例にしているが他の形式、例えばデスクトップ型でも適用可能であることは勿論である。
【００５１】
本発明は、上記した実施形態に限定されるものではなく、本発明の主旨を逸脱しない範囲で自由に変更できることは勿論である。
【符号の説明】
【００５２】
１０  電子機器
１６  本体筐体
２２，２２ａ，２２ｂ，２２ｃ  キーボード装置
２３  上面板（上面体）
２５  キートップ（上面体）
２６  制御基板
２７  本体
２８ｃ  発光体電力線
２８  ケーブル
３０，４９  コネクタ
３４，３４ａ，３４ｂ，３４ｃ，７２，７４  輝度調整抵抗
３６  エンベデッドコントローラ（キーボードコントローラ）
３８  主制御部
４２  グランド部
４４  電源部
４８  キーボードドライバ
５０，５２，５４  インジケータ（発光体）
５６  ＣａｐｓＬｏｃｋキー（上面体）
５８，５８ａ，５８ｂ，５８ｃ  メンブレンシート
６０  スイッチ部
【図１】
2020144435.tif 000003
【図２】
2020144435.tif 000004
【図３】
2020144435.tif 000005
【図４】
2020144435.tif 000006
【図５】
2020144435.tif 000007
【図６】
2020144435.tif 000008